(57)【特許請求の範囲】
【請求項１】
浴室壁に設置する浴室カウンターを略同じ長さ寸法の長尺のカウンター部材と支持カバー部材とで構成し、カウンター部材の後端を浴室壁に固定すると共に、支持カバー部材の下端部となる後端部を浴室壁に固定し、支持カバー部材の前端部にはカバー側取付部が設けられ、カバー側取付部は上方に台状に突出した当接凸部が形成されており、当接凸部にはカウンター部材に設けられている雌ネジ孔に連通する貫通孔が穿設され、ビスからなる固定具を貫通孔から雌ネジ孔に通して接続することでカウンター部材と支持カバー部材を固定し、カウンター部材と浴室壁と支持カバー部材とで囲ませて配管可能な空所を形成したことを特徴とする浴室カウンターの設置構造。
【発明の詳細な説明】
【技術分野】
【０００１】
本発明は、浴室カウンターの設置構造に関するものである。
【背景技術】
【０００２】
従来から、浴室壁２に設置する浴室カウンター１は、図４や図５のように、複数のキャリア部材３４を浴室壁２に対して同高さ位置の左右に間隔を隔ててそれぞれ固定し、複数のキャリア部材３４上に架け渡すようにしてカウンター部材３を載設固定することで、設けられている（たとえば特許文献１，２参照）。このように形成される浴室カウンター１では、部材点数が多くて浴室カウンター１の設置施工が複雑であるという問題がある。具体的には、複数のキャリア部材３４をそれぞれ浴室壁２の同じ高さ位置に位置決めして固定する必要があり、煩雑な施工が課せられているのである。
【０００３】
また、キャリア部材３４は、上記のようにカウンター部材３を数箇所で片持ち状態で支えるものであって、カウンター部材３にかかる下向き荷重が集中して負荷されることになるため、上記集中する下向き荷重に耐え得る剛性強度を備えるべく、図４のようにカウンター面に略垂直に垂下するような縦板状の補強片３５が備えられている（たとえば特許文献１参照）。なお、キャリア部材３４としては、図５のような直角三角形状のアングル材で構成することも行われているが、このキャリア部材３４にも、カウンター面に略垂直に垂下するような縦板状の補強片３５は備えられている（たとえば特許文献２参照）。
【０００４】
ここで、浴室カウンター１にはその前面に幕板３６を取り付けたりして、カウンター部材３の下方で幕板３６の裏の空間に浴室カウンター１にその長手方向に沿って配管を通すことが多々行われており、限られた浴室のスペースの有効利用が図られている。
【０００５】
しかしながら、上記キャリア部材３４の補強片３５は、上記浴室カウンター１の空間の縦断面積である配管の配設可能面積を小さくしてしまうものであって、浴室カウンター１下の空間への配管の配設を阻害してしまう、という問題も有していた。
【特許文献１】特開２０００−８７５７７号公報
【特許文献２】特開２０００−９３３３９号公報
【発明の開示】
【発明が解決しようとする課題】
【０００６】
本発明は上記の点に鑑みてなされたものであり、その目的とするところは、浴室カウンターの部材点数を少なくして設置施工の容易化を図ると共に、浴室カウンターに沿って配管を配設することも妨げることなく容易に行い得る浴室カウンターの設置構造を提供することを課題とするものである。
【課題を解決するための手段】
【０００７】
蒸気課題を解決するために請求項１に係る浴室カウンターの設置構造にあっては、浴室壁２に設置する浴室カウンター１を略同じ長さ寸法の長尺のカウンター部材３と支持カバー部材４とで構成し、カウンター部材３の後端を浴室壁２に固定すると共に、支持カバー部材４の下端部となる後端部を浴室壁２に固定し、支持カバー部材４の上端部となる前端部にカウンター部材３の前端を載設固定し、支持カバー部材４の前端部にはカバー側取付部２１が設けられ、カバー側取付部２１は上方に台状に突出した当接凸部２２が形成されており、当接凸部２２にはカウンター部材３に設けられている雌ネジ孔１５に連通する貫通孔２３が穿設され、ビスからなる固定具３２を貫通孔２３から雌ネジ孔１５に通して接続することでカウンター部材３と支持カバー部材４を固定し、カウンター部材３と浴室壁２と支持カバー部材４とで囲ませて配管可能な空所５を形成したことを特徴とする。
【０００８】
これによると、浴室カウンター１を略同じ長さ寸法の長尺のカウンター部材３と支持カバー部材４とで構成し、浴室壁２に取り付けた支持カバー部材４によってカウンター部材３をその長手方向に亙って支持することで浴室カウンター１を形成できたものである。つまり、カウンター部材３を支持するために、従来技術にある複数のキャリア部材３４の代わりに一の支持カバー部材４を用いることができたものであって、したがって、浴室カウンター１の部材点数を抑えて浴室カウンター１の設置施工を容易にできる。また、支持カバー部材４はカウンター部材３の荷重をその長さ方向で略一様に受けるものであり、従来技術のキャリア部材３４のようにカウンター部材３からの集中荷重対策としての補強片３５を備えずに済み、したがって、浴室カウンター１下の空間（カウンター部材３と浴室壁２と支持カバー部材４とで囲ませた空所５）に、配管４０を妨げることなく容易に配設することができる。また、カウンター側取付部１３にカバー側取付部２１を下方から当接させ、ビスを下方から貫通孔２３を通して雌ネジ孔１５に螺合することにより、カウンター部材３と支持カバー部材４が強固に固定される。
【発明の効果】
【０００９】
本発明にあっては、浴室カウンターの部材点数を少なくして設置施工を容易に行い得ると共に、浴室カウンターに沿って配管を配設することも妨げることなく容易に行い得る、という利点を有する。
【発明を実施するための最良の形態】
【００１０】
以下、本発明を添付図面に示す実施形態に基いて説明する。
【００１１】
本例の浴室カウンター１は、図１乃至３のように、浴室の洗い場６から立設した浴室壁２に取り付けられて設置されている。この浴室カウンター１は、略同じ長さ寸法の長尺のカウンター部材３と支持カバー部材４との２部材で構成されている。
【００１２】
カウンター部材３は、上面がカウンター面となる平板状の天板部７と、天板部７の前端縁から垂下する前縁垂下部８と、天板部７の後端縁から垂下する後縁垂下部９とを有して形成されている。後縁垂下部９はカウンター部材３を浴室壁２に固定するカウンター側壁固定部１０を構成し、長手方向に間隔をあけた適所に複数のカウンター固定用孔１１が穿設されている。本例の天板部７は長手方向の中央部ほど前後幅が広く形成されるように前端縁が曲面状に形成されている。天板部７の下面には縦横にリブ１２が突設されていて天板部７の剛性補強が図られている。
【００１３】
天板部７の下面の前縁部には、長手方向に間隔をあけた複数箇所に、支持カバー部材４に取り付けるカウンター側取付部１３が設けられている。カウンター側取付部１３は下方に突設するボス１４で構成されており、ボス１４はリブ１２が縦横に交差する位置に設けられている。このボス１４には下方に開口した雌ネジ孔（図示せず）が穿設されている。リブ１２の前縁部には上方に凹んだ位置決め用凹部１６が形成されている。また、天板部７における長手方向の中央部の後端部には上下に連通する切欠部３３が形成されている。天板部７のカウンター面の前縁には、カウンター面への載置物の落下を防止する落下防止凸条１７が、上方に突設されている。
【００１４】
支持カバー部材４は、カウンター部材３を下支えする役割とカウンター部材３の下方空間を覆う役割とを有する板状部材であり、カウンター部材３の下面の前縁部に沿うように位置する略水平な支持板部１８と、支持板部１８の後端から急激に後方ほど下方に位置するように傾斜する傾斜板部１９とを有する。支持板部１８は支持カバー部材４の前半部を構成し、傾斜板部１９は支持カバー部材４の後半部を構成している。なお本例の支持板部１８は略水平ではあるが、後方ほど下方に位置するように緩やかな傾斜がつけられている。また、支持カバー部材４はカウンター部材３の前縁形状に合わせた前縁形状に形成されており、本例の支持板部１８は長手方向の中央部ほど前方に位置してその前後幅が広く形成されている。傾斜板部１９は支持カバー部材４の長手方向において略同断面状に形成されている。
【００１５】
支持板部１８の前端縁には、長手方向に亙って上方に折り曲がる引掛凸部２０が形成されている。支持板部１８の前端部には、長手方向に間隔をあけた複数箇所に、カウンター部材３に取り付けるカバー側取付部２１が設けられている。カバー側取付部２１と上記カウンター側取付部１３とは対応する位置に設けられている。カバー側取付部２１は上方に台状に突出した当接凸部２２が形成されており、当接凸部２２にはボス１４の雌ネジ孔１５に連通する貫通孔２３が穿設されている。また、傾斜板部１９の下端部となる後端部には、長手方向に間隔をあけた複数箇所に後方に凹む凹み部２４が設けられ、凹み部２４の後面が浴室壁２に固定するカバー側壁固定部２５とされている。各カバー側壁固定部２５にはカバー固定用孔２６が穿設されている。
【００１６】
浴室カウンター１を浴室壁２に設置するには、まず、図２のようにカウンター部材３の後端を浴室壁２に固定する。詳しくは、カウンター側壁固定部１０を浴室壁２に当接し、カウンター固定具２７であるビスを前方からワッシャ２８を介してカウンター固定用孔１１に通して浴室壁２に挿入することで、浴室カウンター１を浴室壁２に固定する。この状態のカウンター部材３は浴室壁２への仮固定状態にある。
【００１７】
次いで、図３（ａ）のように支持カバー部材４の下端部となる後端部を浴室壁２に固定し、支持カバー部材４の上端部となる前端部にカウンター部材３の前端を載設固定する。詳しくは、支持カバー部材４のカバー側壁固定部２５を浴室壁２に当接し、カバー固定具２９であるビスを前方からワッシャ３０を介してカバー固定用孔２６に通して浴室壁２に挿入することで、支持カバー部材４を浴室壁２に固定する。ここで、カバー側壁固定部２５と浴室壁２との間には、図３（ｂ）のように緩衝テープ３１を介在させるのが好ましい。また、カウンター部材３のカウンター側取付部１３に支持カバー部材４のカバー側取付部２１を下方から当接し、固定具３２であるビスを下方から貫通孔２３を通して雌ネジ孔１５に螺合させることで、カウンター部材３と支持カバー部材４とを固定する。ここで、カウンター部材３のカウンター側取付部１３に支持カバー部材４のカバー側取付部２１を下方から当接するには、いわゆるカウンター部材３と支持カバー部材４との位置決め配置施工が必要となるが、この施工作業は支持カバー部材４の引掛凸部２０をカウンター部材３の位置決め用凹部１６に挿入すればよく、簡単な施工作業とされている。
【００１８】
上記のようにして浴室壁２に設置された本例の浴室カウンター１は、浴室壁２に取り付けた支持カバー部材４によってカウンター部材３がその長手方向に亙って支持するような構造になっている。すなわち、支持カバー部材４はカウンター部材３の荷重をその長さ方向で略一様に受け得るようになっており、浴室カウンター１に良好な耐荷重性能が備わるようになっている。
【００１９】
このように本例の浴室カウンター１では、カウンター部材３を支持するために、従来技術にある複数のキャリア部材３４の代わりに一の支持カバー部材４を用いることができたものであり、したがって、浴室カウンター１の部材点数をカウンター部材３と支持カバー部材４との２部材に抑えることが可能にされ、従来技術のように複数のキャリア部材３４を適宜取り付ける煩雑な施工を回避することが可能になって、浴室カウンター１の設置施工が容易にされているのである。
【００２０】
また、本例の浴室カウンター１においても、カウンター部材３の下方空間を配管４０の配設スペースとして利用することができる。具体的に、本例の浴室カウンター１で、配管４０の配設スペースとして利用するのは、カウンター部材３と浴室壁２と支持カバー部材４とで囲まれて浴室カウンター１の長手方向に亙って略一様断面となる空所５である。なお、該空所５に配管４０を配設するには、上記カウンター部材３の仮固定状態時に、施工するものである。ここで、空所５に配設した配管４０は、カウンター部材３の切欠部３３から上方に引き出すことができ、たとえば浴室カウンター１の上方に浴室壁２に沿わせて設置した洗面化粧装置４１（図５参照）などに備わるカラン装置に接続させることもできる。
【００２１】
ここで、本例の浴室カウンター１では、上述のように支持カバー部材４でカウンター部材３の荷重をその長さ方向で略一様に受けるようにしている。したがって、支持カバー部材４には、従来技術のキャリア部材３４のようにカウンター部材３からの集中荷重対策としての補強片３５を備えずに済み、したがって、配管４０は浴室カウンター１の空所５に妨げなく容易に配設可能にされているのである。
【００２２】
ところで、本例の浴室カウンター１は、カウンター面にシャンプーのボトルや洗面器を置くなど、浴室の洗い場６での入浴者の洗髪等の作業に好適に使用するために、膝丈程度の高さに設置される。したがって、この浴室カウンター１は斜め前上方から見られる場合が多い。ここで、本例の浴室カウンター１にあっては、支持カバー部材４の前半部にカウンター部材３の下面の前縁部に沿うように位置する支持板部１８が設けられており、斜め前上方から見た場合に支持カバー部材４がほとんど見えない構造にされている。したがって、浴室カウンター１に良好な外観を備えるべく、浴室カウンター１の構成物に柄つき材料を用いる場合にも、カウンター部材３にのみこれを用いればよく、浴室カウンター１の製造コストの低減を図ることができる利点も有している。
【図面の簡単な説明】
【００２３】
【図１】本発明の実施の形態の例の浴室カウンターの縦断面図である。
【図２】同上のカウンター部材の設置施工を説明する説明図である。
【図３】（ａ）は同上の支持カバー部材の設置施工を説明する説明図であり、（ｂ）は（ａ）のＡ部分を後方から見た説明図である。
【図４】従来技術の例の浴室カウンターの分解斜視図である。
【図５】従来技術の他例の浴室カウンターの要部の斜視図である。
【符号の説明】
【００２４】
１  浴室カウンター
２  浴室壁
３  カウンター部材
４  支持カバー部材
５  空所
【図１】
0005180563.tif 000002
【図２】
0005180563.tif 000003
【図３】
0005180563.tif 000004
【図４】
0005180563.tif 000005
【図５】
0005180563.tif 000006